(57)【要約】【課題】上枠の前面に上枠前面カバーを容易に取り付けることができる上枠前面カバーの取付構造を提供すること。【解決手段】上枠前面カバー４の取付構造は、前面が開放して形成された上枠２１と、上枠２１の前面に配置される上枠前面カバー４と、上枠２１の側部に配置される側部受け部６と、上枠前面カバー４と側部受け部６との間に配置され、上枠前面カバー４に取り付け可能であると共に、側部受け部６に嵌合可能な取付部材５と、を備える。上枠２１の側部の側方には、縦枠２３の上端部が配置され、側部受け部６は、縦枠２３に設けられることが好ましい。【選択図】図４Ａ
2020190127.tif 000002
【特許請求の範囲】
【請求項１】
前面が開放して形成された上枠と、
前記上枠の前面に配置される上枠前面カバーと、
前記上枠の側部に配置される側部受け部と、
前記上枠前面カバーと前記側部受け部との間に配置され、前記上枠前面カバーに取り付け可能であると共に、前記側部受け部に嵌合可能な取付部材と、を備える、上枠前面カバーの取付構造。
【請求項２】
縦枠を更に備え、
前記上枠の側部の側方には、前記縦枠の上端部が配置され、
前記側部受け部は、前記縦枠に設けられる、請求項１に記載の上枠前面カバーの取付構造。
【請求項３】
前記取付部材は、凸形状又は開口形状の第１嵌合部を有し、
前記側部受け部は、前記第１嵌合部に嵌合可能な開口形状又は凸形状の第２嵌合部を有する、請求項１又は２に記載の上枠前面カバーの取付構造。
【請求項４】
前記取付部材は、前記上枠前面カバーにスライド移動可能に取り付けられると共にスライド移動することで前記側部受け部に嵌合する、請求項１〜３のいずれかに記載の上枠前面カバーの取付構造。
【請求項５】
前記取付部材は、スライド方向の両端部に対称形状で形成され前記側部受け部に嵌合可能な一対の第１嵌合部を有する、請求項１〜４のいずれかに記載の上枠前面カバーの取付構造。
【請求項６】
前記上枠前面カバーは、前記取付部材をスライド移動可能にガイドするガイド部を有し、
前記ガイド部は、前記取付部材が前記側部受け部に嵌合する嵌合位置で係合する嵌合位置係合部と、前記取付部材が前記側部受け部に嵌合しない非嵌合位置で係合する非嵌合位置係合部と、を有する、請求項１〜５のいずれかに記載の上枠前面カバーの取付構造。
【請求項７】
前記上枠前面カバーは、横方向に延びると共に、前記取付部材を横方向にスライド移動可能にガイドする上下に一対のガイド部を有し、
前記一対のガイド部の横方向の途中には、前記取付部材の上端部及び下端部に係合可能な上下に一対のカバー側係合部が形成され、
前記取付部材は、上端部及び下端部に対称形状で形成され前記カバー側係合部に係合可能な一対の取付部材側係合部を有する、請求項１〜６のいずれかに記載の上枠前面カバーの取付構造。
【発明の詳細な説明】
【技術分野】
【０００１】
本発明は、上枠前面カバーの取付構造に関する。
【背景技術】
【０００２】
従来から、上枠、下枠及び縦枠を備える枠体と、枠体内に納められる戸体と、を備える建具がある。このような建具において、上枠の前面が開放されており、上枠の開放された前面に、上枠前面カバーを取り付ける構造が知られている（例えば、特許文献１参照）。特許文献１に記載の上枠の前面に上枠前面カバーを取り付ける構造においては、上枠の側方に配置される縦枠に中間取付部材をネジ固定し、上枠前面カバーは、縦枠にネジ固定した中間取付部材に嵌合されることで、上枠の前面に取り付けられている。
【先行技術文献】
【特許文献】
【０００３】
【特許文献１】特開２００５−６８９２０号公報
【発明の概要】
【発明が解決しようとする課題】
【０００４】
上枠の前面に上枠前面カバーを取り付ける場合に、縦枠にネジ固定した中間取付部材に上枠前面カバーを嵌合させる構成とすると、縦枠に中間取付部材をネジで固定する作業が煩雑であった。よって、上枠の前面に上枠前面カバーを容易に取り付けることができる構造が求められている。
【０００５】
本発明は、上枠の前面に上枠前面カバーを容易に取り付けることができる上枠前面カバーの取付構造を提供することを目的とする。
【課題を解決するための手段】
【０００６】
本発明は、前面が開放して形成された上枠（例えば、後述の上枠２１）と、前記上枠の前面に配置される上枠前面カバー（例えば、後述の上枠前面カバー４）と、前記上枠の側部に配置される側部受け部（例えば、後述の側面板６）と、前記上枠前面カバーと前記側部受け部との間に配置され、前記上枠前面カバーに取り付け可能であると共に、前記側部受け部に嵌合可能な取付部材（例えば、後述の取付部材５）と、を備える、上枠前面カバーの取付構造に関する。
【０００７】
また、縦枠（例えば、後述の縦枠２３）を更に備え、前記上枠の側部の側方には、前記縦枠の上端部が配置され、前記側部受け部は、前記縦枠に設けられることが好ましい。
【０００８】
また、前記取付部材は、凸形状又は開口形状の第１嵌合部（例えば、後述の嵌合突出部５４）を有し、前記側部受け部は、前記第１嵌合部に嵌合可能な開口形状又は凸形状の第２嵌合部（例えば、後述の嵌合開口部６１）を有することが好ましい。
【０００９】
また、前記取付部材は、前記上枠前面カバーにスライド移動可能に取り付けられると共にスライド移動することで前記側部受け部に嵌合することが好ましい。
【００１０】
また、前記取付部材は、スライド方向の両端部に対称形状で形成され前記側部受け部に嵌合可能な一対の第１嵌合部を有することが好ましい。
【００１１】
また、前記上枠前面カバーは、前記取付部材をスライド移動可能にガイドするガイド部（例えば、後述の上側ガイド片４２、下側ガイド片４３）を有し、前記ガイド部は、前記取付部材が前記側部受け部に嵌合する嵌合位置で係合する嵌合位置係合部（例えば、後述の嵌合位置係合部４０１）と、前記取付部材が前記側部受け部に嵌合しない非嵌合位置で係合する非嵌合位置係合部（例えば、後述の非嵌合位置係合部４０２）と、を有することが好ましい。
【００１２】
また、前記上枠前面カバーは、横方向に延びると共に、前記取付部材を横方向にスライド移動可能にガイドする上下に一対のガイド部を有し、前記一対のガイド部の横方向の途中には、前記取付部材の上端部及び下端部に係合可能な上下に一対のカバー側係合部（例えば、後述の嵌合位置係合部４０１、非嵌合位置係合部４０２）が形成され、前記取付部材は、上端部及び下端部に対称形状で形成され前記カバー側係合部に係合可能な一対の取付部材側係合部（例えば、後述の係合突起５３）を有することが好ましい。
【発明の効果】
【００１３】
本発明によれば、上枠の前面に上枠前面カバーを容易に取り付けることができる上枠前面カバーの取付構造を提供することができる。
【図面の簡単な説明】
【００１４】
【図１】本発明の一実施形態に係る建具の閉鎖状態を示す斜視図である。
【図２】図１のＡ−Ａ線断面図である。
【図３Ａ】図１のＢ−Ｂ線断面図である。
【図３Ｂ】図１のＣ−Ｃ線断面図である。
【図４Ａ】上枠前面カバーの取付構造の開放端部側の構造を裏面側から視た斜視図である。
【図４Ｂ】上枠前面カバーの取付構造の開放端部側の構造の裏面から視た分解斜視図である。
【図４Ｃ】上枠前面カバーの取付構造の開放端部側の取付部材を上枠前面カバーに取り付ける状態を表面側から視た斜視図である。
【図５Ａ】上枠前面カバーの取付構造の閉鎖端部側の構造を裏面側から視た斜視図である。
【図５Ｂ】上枠前面カバーの取付構造の閉鎖端部側の構造の裏面から視た分解斜視図である。
【図６Ａ】上枠前面カバーの取付構造の取り付け手順を示す図であって、取付部材を上枠前面カバーに挿入する状態を示す図である。
【図６Ｂ】上枠前面カバーの取付構造の取り付け手順を示す図であって、取付部材を上枠前面カバーの非嵌合位置に取り付けた状態であって、取付部材を側面板に取り付ける状態を示す図である。
【図６Ｃ】上枠前面カバーの取付構造の取り付け手順を示す図であって、取付部材を上枠前面カバーの嵌合位置にスライドさせた状態であって、取付部材を側面板に嵌合させた状態を示す図である。
【図７】第１実施形態の上枠を建物の上部構造体に固定した状態を示す図１のＤ−Ｄ線断面図である。
【図８】ネジガイドパイプを用いて、第１実施形態の上枠を建物の上部構造体にネジ固定する場合を示す図である。
【図９】ネジガイドパイプを用いて、第２実施形態の上枠を建物の上部構造体にネジ固定する場合を示す図である。
【図１０】本実施形態のネジガイドパイプを示す斜視図である。
【図１１】本実施形態のネジガイドパイプを示す側面図である。
【発明を実施するための形態】
【００１５】
以下、本発明の好ましい実施形態について、図面を参照しながら説明する。図１は、本発明の一実施形態に係る建具１の閉鎖状態を示す斜視図である。図２は、図１のＡ−Ａ線断面図である。図３Ａは、図１のＢ−Ｂ線断面図である。図３Ｂは、図１のＣ−Ｃ線断面図である。
【００１６】
図１に示すように、本実施形態の建具１は、建物（図示せず）に固定される枠体２と、枠体２の内側に納められるスライドドア３（戸体）と、を備える。
【００１７】
枠体２は、建物（図示せず）の所定箇所に取り付けられる。枠体２は、上枠２１、下枠２２及び縦枠２３が、左右方向の一方側が開放するコ字状に組まれて構成される。
上枠２１は、枠体２の上側に配置され、左右方向（横方向）に延びる。
下枠２２は、枠体２の下側に配置され、上枠２１に平行に左右方向（横方向）に延びる。
縦枠２３は、上枠２１の左右方向の他方側の端部と下枠２２の左右方向の他方側の端部とを繋いで上下方向（縦方向）に延びる。縦枠２３の上端部は、上枠２１の左右方向の他方側の側部の側方に配置される。
【００１８】
上枠２１は、図２〜図３Ｂに示すように、中空部２１１と、中空部２１１の上端から前方に延出する延出部２１２と、を有する。上枠２１は、前面が開放して形成される。上枠２１の前面には、上枠前面カバー４が配置されている。上枠前面カバー４は、取付部材５を介して、側面板６（側部受け部）に取り付けられている。上枠前面カバー４の取付構造の詳細については後述する。
【００１９】
縦枠２３は、図２に示すように、前側中空部２３ａと、後側中空部２３ｂと、後側中空部２３ｂの後端から左右方向の外側に延出する延出部２３ｃと、を有する。縦枠２３の上端部は、側面板６を介して、上枠２１の閉鎖端部側の側部にネジ固定されている。
【００２０】
スライドドア３は、図１に示すように、枠体２の内側に配置される。本実施形態においては、スライドドア３は、枠体２内を左右方向にスライド移動可能に構成され、片引きの吊り式の玄関ドア等の開き戸である。スライドドア３の上端は、上枠２１の内部に配置される複数の吊車（図示せず）を介して、吊られている。
【００２１】
上枠前面カバー４の取付構造について説明する。
図４Ａは、上枠前面カバー４の取付構造の開放端部側の構造を裏面側から視た斜視図である。図４Ｂは、上枠前面カバー４の取付構造の開放端部側の構造の裏面から視た分解斜視図である。図４Ｃは、上枠前面カバー４の取付構造の開放端部側の取付部材５を上枠前面カバー４に取り付ける状態を表面側から視た斜視図である。図５Ａは、上枠前面カバー４の取付構造の閉鎖端部側の構造を裏面側から視た斜視図である。図５Ｂは、上枠前面カバー４の取付構造の閉鎖端部側の構造の裏面から視た分解斜視図である。
【００２２】
上枠前面カバー４は、図１及び図２に示すように、上枠２１の前面に配置される。上枠前面カバー４は、上下方向に幅を有して、左右方向（横方向）に延びる。
上枠前面カバー４は、上枠２１の内部に例えばスライドドア３を吊る構造等が配置される場合に、上枠２１の内部のメンテナンスを可能とするため、上枠２１の前面から取り外し可能に構成される。
【００２３】
上枠前面カバー４は、図４Ａ〜図５Ｂに示すように、左右方向の両端部それぞれにおいて、取付部材５を介して、側面板６に取り付けられる。本実施形態の上枠前面カバー４の取付構造においては、図１及び図２に示すように、左右方向に延びる上枠前面カバー４と、上枠前面カバー４の左右方向の両端部それぞれの側部に配置される左右一対の側面板６，６と、上枠前面カバー４と側面板６を接続する左右一対の取付部材５，５と、が設けられている。
【００２４】
一対の側面板６は、図２に示すように、それぞれ、板状に形成され、上枠２１の左右方向の両端部の側部に配置される。上枠２１の左右方向の一端部側の開放端部に配置される側面板６は、上枠２１の側部に固定される。また、上枠２１の左右方向の他端部側の閉鎖端部の側面板６は、上枠２１の側部と縦枠２３の上端部の内面との間に挟まれた状態で、上枠２１の側部及び縦枠２３の上端部の間に固定される。
【００２５】
側面板６は、図４Ｂ及び図５Ｂに示すように、嵌合開口部６１（第２嵌合部）を有する。嵌合開口部６１は、一対の側面板６の内側の側方に方形状に開口する開口形状に形成される。図４Ａ及び図５Ａに示すように、嵌合開口部６１には、取付部材５の嵌合突出部５４（第１嵌合部）（後述）が嵌合可能である。なお、本実施形態においては、嵌合開口部６１の形状を方形状としたが、これに限定されない。
【００２６】
上枠前面カバー４は、図４Ａ〜図５Ｂに示すように、前面板４１と、上側ガイド片４２（ガイド部）と、下側ガイド片４３（ガイド部）と、上側係止片４４と、下端片４５と、を有する。
【００２７】
前面板４１は、上下方向に幅を有して左右方向に延びる板状に形成される。
上側係止片４４は、前面板４１の裏面の上方側に形成され、左右方向に延びると共に、後方に延び且つ後端において下方に屈曲するＬ字状に形成される。上側係止片４４の左右方向の両端部それぞれは、上枠前面カバー４を取り付ける際に、一対の側面板６の内面から内側に突出する係止突起６２に係止される。
下端片４５は、前面板４１の裏面の下端部に形成され、左右方向に延びると共に、後方に延び且つ後端において上方に屈曲するＬ字状に形成される。
【００２８】
上側ガイド片４２及び下側ガイド片４３は、前面板４１の裏面において、上側係止片４４と下端片４５との間に上下に対を成して形成され、左右方向に延びて形成される。上側ガイド片４２は、後方に延び且つ後端において下方に屈曲するＬ字状に形成される。下側ガイド片４３は、後方に延び且つ後端において上方に屈曲するＬ字状に形成される。上側ガイド片４２及び下側ガイド片４３の間には、取付部材５が左右方向にスライド移動可能に取り付けられる。これにより、上側ガイド片４２及び下側ガイド片４３は、取付部材５を左右方向（横方向）にスライド移動可能にガイドする。
【００２９】
図４Ａ〜図５Ｂに示すように、前面板４１の裏面において、上側ガイド片４２及び下側ガイド片４３の左右方向の両端部側には、上側ガイド片４２及び下側ガイド片４３の左右方向（横方向）の途中において、それぞれ、嵌合位置係合部４０１（上側嵌合位置係合部４２１、下側嵌合位置係合部４３１）（カバー側係合部）と、非嵌合位置係合部４０２（上側非嵌合位置係合部４２２、下側非嵌合位置係合部４３２）（カバー側係合部）と、が形成されている。嵌合位置係合部４０１及び非嵌合位置係合部４０２は、上側ガイド片４２及び下側ガイド片４３を切り欠いた切り欠き溝状に形成される。嵌合位置係合部４０１及び非嵌合位置係合部４０２は、左右方向に離間して配置され、嵌合位置係合部４０１は、非嵌合位置係合部４０２よりも、前面板４１の左右方向の外側に配置される。
【００３０】
嵌合位置係合部４０１には、取付部材５が側面板６に嵌合する嵌合位置において、取付部材５の係合突起５３（後述）が係合可能である。非嵌合位置係合部４０２には、取付部材５が側面板６に嵌合しない非嵌合位置において、取付部材５の係合突起５３（後述）が係合可能である。取付部材５が非嵌合位置係合部４０２に係合した位置においては、取付部材５は、嵌合突出部５４（後述）が上枠前面カバー４の端部から外側に突出しない位置に配置される（図６Ｂ参照）。これにより、上枠前面カバー４において取付部材５を嵌合位置にスライド移動させる前に、非嵌合位置させることで、取付部材５の嵌合突出部５４（後述）を上枠前面カバー４の端部から外側に突出しない状態で、上枠前面カバー４に取付部材５を仮固定できる。
【００３１】
取付部材５は、図４Ａ〜図５Ｂに示すように、上枠前面カバー４の裏面側の左右方向の両端部において、上枠前面カバー４と側面板６との間に配置され、上枠前面カバー４と側面板６とを固定する。取付部材５は、上枠前面カバー４に取り付け可能であると共に、側面板６に嵌合可能である。取付部材５は、上枠前面カバー４スライド移動可能に取り付けられると共に、スライド移動することで側面板６に嵌合する。
取付部材５は、上下及び左右に延びる板状の取付部材本体５１と、取付部材本体５１の上下に設けられる一対のガイド凸部５２，５２と、取付部材本体５１の上下に設けられる一対の係合突起５３，５３（取付部材側係合部）と、取付部材本体５１の左右に設けられる一対の嵌合突出部（第１嵌合部）５４，５４と、を有する。
【００３２】
一対のガイド凸部５２，５２は、取付部材本体５１の上端部及び下端部において、左右方向に延びる凸状に形成される。一対のガイド凸部５２，５２が上枠前面カバー４の上側ガイド片４２と下側ガイド片４３とに嵌り込んで配置されることで、取付部材５は、左右方向にスライド移動可能に、上枠前面カバー４の上側ガイド片４２及び下側ガイド片４３にガイドされる。ガイド凸部５２が延びる左右方向の途中には、図４Ｃに示すように、係合突起５３が形成される。
【００３３】
一対の係合突起５３，５３は、左右方向に延びるガイド凸部５２の途中に形成され、取付部材本体５１の左右方向の中央において、上下に突出する。一対の係合突起５３は、上下方向の内側に押圧されて弾性変形した場合に、上下方向の外側に弾性力を付与するように構成されている。上下に一対の係合突起５３，５３は、取付部材５の上端部及び下端部に上下対称形状で形成され、取付部材５がスライド移動することで、嵌合位置係合部４０１又は非嵌合位置係合部４０２に係合可能である。
【００３４】
一対の嵌合突出部５４，５４は、取付部材５の左右方向の両端部に形成される。一対の嵌合突出部５４，５４は、それぞれ、取付部材５の左右方向の外側に直方体形状に突出する凸形状に形成される。嵌合突出部５４は、側面板６の嵌合開口部６１に嵌合可能である。一対の嵌合突出部５４，５４は、左右方向（スライド方向）の両端部に左右対称形状で形成される。これにより、一対の嵌合突出部５４，５４を左右に入れ替えても、いずれも、側面板６の嵌合開口部６１に嵌合可能である。なお、本実施形態においては、嵌合突出部５４を直方体形状に突出する凸形状に形成したが、これに限定されない。
【００３５】
以上のように構成される取付部材５においては、一対のガイド凸部５２，５２は、取付部材本体５１の上下において左右方向に延びて形成される。また、一対の係合突起５３，５３は、取付部材本体５１の左右方向の中央において上下に突出して形成されると共に、一対の嵌合突出部５４，５４は、取付部材５の左右方向の両端部に突出して形成される。これにより、一対のガイド凸部５２，５２、一対の係合突起５３，５３、及び一対の嵌合突出部５４，５４の位置関係は、左右対称の位置関係であり、また、取付部材５を前後方向に視た状態で中央部分を中心に１８０°回転させて左右を入れ替えても同じ位置関係である。よって、１種類の取付部材５を上枠前面カバー４の左右方向の両端部のいずれにおいても使用できるため、左右に配置される一対の取付部材５を共通化することができ、製造コストを低減できる。
【００３６】
次に、取付部材５を用いて、上枠前面カバー４を側面板６に取り付ける手順について説明する。図６Ａは、上枠前面カバー４の取付構造の取り付け手順を示す図であって、取付部材５を上枠前面カバー４に挿入する状態を示す図である。図６Ｂは、上枠前面カバー４の取付構造の取り付け手順を示す図であって、取付部材５を上枠前面カバー４の非嵌合位置に取り付けた状態であって、取付部材５を側面板６に取り付ける状態を示す図である。図６Ｃは、上枠前面カバー４の取付構造の取り付け手順を示す図であって、取付部材５を上枠前面カバー４の嵌合位置にスライドさせた状態であって、取付部材５を側面板６に嵌合させた状態を示す図である。
本実施形態においては、上枠前面カバー４の左右方向のいずれにおいても、取り付ける手順は同様である。そのため、上枠前面カバー４の開放端部側の取り付ける手順について説明する。
【００３７】
まず、図６Ａに示すように、取付部材５を、上枠前面カバー４の裏面において、上枠前面カバー４の上側ガイド片４２及び下側ガイド片４３の間に挿入して、取付部材５の上下に一対のガイド凸部５２，５２を、上側ガイド片４２及び下側ガイド片４３に沿ってスライド移動させる。そして、取付部材５の一対の係合突起５３，５３を、図６Ｂに示すように、一対の非嵌合位置係合部４０２に係合させて、非嵌合位置に位置させた状態で、取付部材５を上枠前面カバー４の裏面に仮固定する。この状態においては、嵌合突出部５４は、上枠前面カバー４の端部から外側には突出していない。
【００３８】
次に、取付部材５の一対の係合突起５３，５３を、一対の非嵌合位置係合部４０２に係合させて非嵌合位置に位置させた状態で、図６Ｂ及び図６Ｃに示すように、上枠前面カバー４の上側係止片４４の左右方向の端部を側面板６の係止突起６２に係止させるように、上枠前面カバー４の左右方向の側部の端面を側面板６に当接させる。
【００３９】
続けて、図６Ｃに示すように、取付部材５の一対の係合突起５３，５３それぞれを非嵌合位置係合部４０２から嵌合位置係合部４０１にスライド移動させることで、嵌合突出部５４を、側面板６の嵌合開口部６１に嵌合させる。
【００４０】
以上のように、取付部材５を用いて上枠前面カバー４を側面板６に嵌合により取り付けることで、ネジを使用せずに、上枠前面カバー４を、上枠２１の前面に容易に取り付けることができる。また、取付部材５を上側ガイド片４２及び下側ガイド片４３に沿ってスライド移動させるだけで、上枠前面カバー４を、上枠２１の前面に容易に取り付けることができる。また、取付部材５をスライド移動させるだけで、取付部材５の嵌合突出部５４を、側面板６の嵌合開口部６１に嵌合させることができるため、例えば爪形状の嵌合構造で嵌合させる構成よりも、破損しにくい。
【００４１】
次に、上枠２１、２１Ａを建物の上部構造体１１０に取り付ける際に使用されるネジガイドパイプ７について説明する。図７は、図１のＤ−Ｄ線断面図である。図８に示すように、ネジガイドパイプ７を用いて、第１実施形態の上枠２１を建物の上部構造体１１０にネジ固定する場合を示す図である。図９は、ネジガイドパイプ７を用いて、第２実施形態の上枠２１Ａを建物の上部構造体１１０にネジ固定する場合を示す図である。
ここで、上枠２１、２１Ａの説明において、上記説明した本実施形態を第１実施形態の上枠２１とし、他の実施形態を第２実施形態の上枠２１Ａとして説明する。
まず、第１実施形態の上枠２１及び第２実施形態の上枠２１Ａの各構成について説明する。
【００４２】
第１実施形態の上枠２１の構成について説明する。
図７に示すように、第１実施形態の上枠２１は、複数のネジ１０１，１０２，１０３により、建物の上部構造体１１０に固定されている。
【００４３】
上枠２１は、中空部２１１と、延出部２１２と、中空部２１１の後側の上端部から上方側に延びる上側取付片２１３と、中空部２１１の後側の下端部から下方側に延びる下側取付片２１４と、を有する。延出部２１２の前方側の端部の下方には、上枠前面カバー４が配置されている。中空部２１１、上側取付片２１３及び下側取付片２１４は、それぞれ、ネジ１０１，１０２，１０３により固定される。
【００４４】
中空部２１１は、中空状に形成され、図８（ａ）及び（ｂ）に示すように、前側板２１１ａと、後側板２１１ｃと、を有する。前側板２１１ａ及び後側板２１１ｃは、上下方向に延びる板状に形成され、中空部２１１の前後に、距離Ｌ１離間して配置される。
【００４５】
後側板２１１ｃは、上部構造体１１０の前面１１１に沿って上下方向に延びて配置される。後側板２１１ｃには、ネジ１０１の軸部が貫通すると共に縁部に頭部を係止可能な第１ネジ孔２１１ｄが形成される。後側板２１１ｃは、図８（ｂ）に示すように、後述するネジガイドパイプ７を用いることで、第１ネジ孔２１１ｄにおいて、ネジ１０１により、上部構造体１１０に固定される。
【００４６】
前側板２１１ａは、後側板２１１ｃの前方側において、後側板２１１ｃに対向して配置される。前側板２１１ａには、第１ネジ孔２１１ｄに対向する位置に、ネジガイドパイプ７のフランジ部７６を係止するための第１貫通孔２１１ｂが形成される。第１貫通孔２１１ｂには、第１貫通孔２１１ｂの前側からネジガイドパイプ７（後述）が挿入されて、ネジガイドパイプ７のフランジ部７６が係止される。ネジガイドパイプ７のフランジ部７６を第１貫通孔２１１ｂで係止した状態において、ネジガイドパイプ７の先端部は、後側板２１１ｃの第１ネジ孔２１１ｄに対向して配置される。
【００４７】
第２実施形態の上枠２１Ａの構成について説明する。
第２実施形態の上枠２１Ａは、第１実施形態の上枠２１と比べて、第１実施形態の上枠２１の中空部２１１に代えて、上側中空部２１６及び下側中空部２１７を備える点において主に異なる。第２実施形態の上枠２１Ａの説明において、第１実施形態の上枠２１と同様の構成については、説明を省略する。
【００４８】
第２実施形態の上枠２１Ａは、図９（ｂ）に示すように、上側中空部２１６において、建物の上部構造体１１０にネジ１０１により固定されている。これに対して、第１実施形態の上枠２１は、図８（ｂ）に示すように、中空部２１１において、建物の上部構造体１１０にネジ１０１により固定されている。第２実施形態の上枠２１Ａの上側中空部２１６の前後方向（見込方向）の大きさは、第１実施形態の上枠２１の中空部２１１の前後方向（見込方向）の大きさよりも小さい。例えば、スライドドアを手動で移動するように構成する場合と、スライドドアを電動で移動させるように構成する場合とで、上枠２１，２１Ａに設ける部材も異なる。このような場合に、第１実施形態の上枠２１及び第２実施形態の上枠２１Ａのように、上枠２１，２１Ａの前後方向の大きさを異ならせることがある。
【００４９】
第２実施形態の上枠２１Ａは、図９（ａ）及び（ｂ）に示すように、上側中空部２１６と、下側中空部２１７と、延出部２１２と、上側取付片２１３と、下側取付片２１４と、を有する。
上側中空部２１６と下側中空部２１７とは、上下に並んで配置される。本実施形態のいては、上枠２１Ａは、上側中空部２１６において、建物の上部構造体１１０に固定される。第２実施形態の上枠２１Ａの上側中空部２１６は、第１実施形態の上枠２１の中空部２１１よりも、見込方向（前後方向）の大きさが小さく形成される。
【００５０】
上側中空部２１６は、中空状に形成され、図９（ａ）及び（ｂ）に示すように、前側板２１６ａと、後側板２１６ｃと、を有する。前側板２１６ａ及び後側板２１６ｃは、上下方向に延びる板状に形成され、上側中空部２１６の前後に、距離Ｌ２離間して配置される。第２実施形態の上枠２１Ａの上側中空部２１６の前側板２１６ａから後側板２１６ｃまでの距離Ｌ２は、第１実施形態の上枠２１の中空部２１１の前側板２１１ａから後側板２１１ｃまでの距離Ｌ１よりも短く形成される。
【００５１】
後側板２１６ｃは、上部構造体１１０の前面１１１から前方に離間して配置され、上部構造体１１０の前面１１１に沿って上下方向に延びて配置される。後側板２１６ｃには、ネジ１０１の軸部が貫通すると共に縁部に頭部を係止可能な第２ネジ孔２１６ｄが形成される。後側板２１６ｃは、図９（ｂ）に示すように、ネジガイドパイプ７を用いることで、第２ネジ孔２１６ｄにおいて、ネジ１０１により、上部構造体１１０に固定される。
【００５２】
前側板２１６ａは、後側板２１６ｃの前方側において、後側板２１６ｃに対向して配置される。前側板２１６ａには、第２ネジ孔２１６ｄに対向する位置に、後述するネジガイドパイプ７の円環係止面７４１を係止するための第２貫通孔２１６ｂが形成される。第２貫通孔２１６ｂには、第２貫通孔２１６ｂの前側からネジガイドパイプ７（後述）が挿入されて、ネジガイドパイプ７の円環係止面７４１が係止される。第２貫通孔２１６ｂは、ネジガイドパイプ７の円環係止面７４１を係止可能な径であると共に、第１実施形態の上枠２１の中空部２１１の第１貫通孔２１１ｂよりも小さい径で形成される。ネジガイドパイプ７の円環係止面７４１を第２貫通孔２１６ｂの縁部で係止した状態において、ネジガイドパイプ７の先端部は、後側板２１６ｃの第２ネジ孔２１６ｄに対向して配置される。
【００５３】
以上のように構成される第１実施形態の上枠２１及び第２実施形態の上枠２１Ａは、中空部２１１及び上側中空部２１６の前後方向の大きさが異なるが、以下に説明する共通のネジガイドパイプ７を用いることで、ネジ１０１により、上枠２１，２１Ａを建物の上部構造体１１０に容易に固定できる。
【００５４】
ネジガイドパイプ７について説明する。図１０は、本実施形態のネジガイドパイプ７を示す斜視図である。図１１は、本実施形態のネジガイドパイプ７を示す側面図である。
ネジガイドパイプ７は、図１０及び図１１に示すように、軸方向に延びる筒状に形成される。ネジガイドパイプ７は、ネジ挿入貫通孔７７を有する。ネジ挿入貫通孔７７は、ネジガイドパイプ７の軸方向に貫通して形成されており、ネジ１０１を挿入可能である。
【００５５】
ネジガイドパイプ７は、先端側から後端側に順に、先端側傾斜筒部７１と、第１中間筒部７２と、第２中間筒部７３と、第３中間筒部７４と、後端側傾斜筒部７５と、フランジ部７６と、を有する。先端側傾斜筒部７１、第１中間筒部７２、第２中間筒部７３、第３中間筒部７４及び後端側傾斜筒部７５の径は、第１実施形態の上枠２１の中空部２１１の前側板２１１ａの第１貫通孔２１１ｂの径よりも小さい径で形成される。フランジ部７６は、第１貫通孔２１１ｂの径よりも大きく形成される。これにより、第１実施形態の上枠２１の中空部２１１の前側板２１１ａの第１貫通孔２１１ｂに、前側から挿入したネジガイドパイプ７は、第１貫通孔２１１ｂの周縁に係止される。
【００５６】
先端側傾斜筒部７１は、ネジガイドパイプ７の先端側に配置され、先端側から後方側に向かうに従って径が大きくなる筒状に形成される。先端側傾斜筒部７１は、軸方向に延びると共に周方向に離間して配置される複数の円弧部材７１１から形成される。複数の円弧部材７１１は、例えば樹脂材料で形成されており、ネジ１０１が通る際に外側に拡径しながら元に戻るように弾性力が作用しており、ネジ１０１が通る際に弾性変形してネジ１０１の頭部を保持する。
【００５７】
第１中間筒部７２は、先端側傾斜筒部７１の後端に接続され、先端側傾斜筒部７１の後端の径と同一径で、後方に延びる。
【００５８】
第２中間筒部７３は、第１中間筒部７２の後端に接続され、先端側の径が第１中間筒部７２の後端の径と同じ径で形成され、先端側から後方側に向かうに従って径が僅かに大きくなる筒状に形成され、第１中間筒部７２よりも短い長さで後方に延びる。
【００５９】
第３中間筒部７４は、第２中間筒部７３の後端に接続され、後方に延びる。第３中間筒部７４の外形の径は、第２中間筒部７３の後端の径よりも大きな径で形成され同一径で延びる。また、第３中間筒部７４の内面の径は、先端側の径が第２中間筒部７３の後端の内面の径と同じ径で形成され、先端側から後方側に向かうに従って径が僅かに大きくなるように形成される。
【００６０】
第３中間筒部７４の先端には、ネジガイドパイプ７の先端側を向く円環係止面７４１が形成されている。円環係止面７４１は、ネジガイドパイプ７の軸方向の途中に配置され、図８に示すように、第１実施形態の上枠２１の中空部２１１の前側板２１１ａの第１貫通孔２１１ｂに係止されずに第１貫通孔２１１ｂを通り抜けるように、第１貫通孔２１１ｂの径よりも径が小さく形成される。また、円環係止面７４１は、図９に示すように、第２実施形態の上枠２１Ａの上側中空部２１６の前側板２１６ａの第２貫通孔２１６ｂよりも大きく形成される。
円環係止面７４１は、第２実施形態の上枠２１Ａにおいて、図９（ａ）の状態から図９（ｂ）の状態にネジガイドパイプ７を第２貫通孔２１６ｂの前側から挿入した場合に、第２貫通孔２１６ｂの縁部に係止可能される。
【００６１】
円環係止面７４１からネジガイドパイプ７の先端までの長さは、円環係止面７４１が第２貫通孔２１６ｂの縁部に係止された状態において、図９（ｂ）に示す第２実施形態の上枠２１Ａのように、ネジガイドパイプ７の先端から後側板２１６ｃまでの距離がネジ１０１の長さよりも短く形成されることで、ネジガイドパイプ７の先端から第２ネジ孔２１６ｄまで容易にネジ１０１を導くことができる長さに形成される。また、円環係止面７４１からネジガイドパイプ７の先端までの長さは、円環係止面７４１が第２貫通孔２１６ｂの縁部に係止された状態において、ネジ１０１の頭を第２ネジ孔２１６ｄの縁部に固定できる長さに形成される。
【００６２】
後端側傾斜筒部７５は、図１０及び図１１に示すように、第３中間筒部７４の後端に接続され、先端側から後方側に向かうに従って僅かに径が大きくなる筒状に形成される。
【００６３】
フランジ部７６は、後端側傾斜筒部７５の後端に接続され、後端側傾斜筒部７５の径方向に延びる。フランジ部７６は、後端側傾斜筒部７５の一の径方向の両側の外側に突出する板状に形成される。フランジ部７６の外形は、ネジガイドパイプ７を軸方向に視た場合に、角部が面取りされた略長方形状に形成される。
【００６４】
フランジ部７６は、図８に示すように、第１実施形態の上枠２１の中空部２１１の前側板２１１ａの第１貫通孔２１１ｂの径よりも大きく形成され、第１実施形態の上枠２１において、図８（ａ）に示す状態から図８（ｂ）に示す状態にネジガイドパイプ７を第１貫通孔２１１ｂの前側から挿入した場合に、第１貫通孔２１１ｂの縁部に係止される。
【００６５】
フランジ部７６からネジガイドパイプ７の先端までの長さは、フランジ部７６が第１貫通孔２１１ｂの縁部に係止された状態において、図８（ｂ）に示す第１実施形態の上枠２１のように、ネジガイドパイプ７の先端から後側板２１１ｃまでの距離がネジ１０１の長さよりも短く形成されることで、ネジガイドパイプ７の先端から第１ネジ孔２１１ｄまで容易にネジ１０１を導くことができる長さに形成される。また、フランジ部７６からネジガイドパイプ７の先端までの長さは、フランジ部７６が第１貫通孔２１１ｂの縁部に係止された状態において、ネジ１０１の頭を第１ネジ孔２１１ｄの縁部に固定できる長さに形成される。
【００６６】
第１実施形態の上枠２１をネジ１０１により建物の上部構造体１１０に固定する場合には、図８（ａ）に示すように、ネジガイドパイプ７を第１貫通孔２１１ｂの挿入することで、図８（ｂ）に示すように、ネジガイドパイプ７のフランジ部７６を第１貫通孔２１１ｂの周縁に係止させる。
【００６７】
そして、図８（ｂ）に示すように、ネジガイドパイプ７にネジ１０１を挿入して、第１ネジ孔２１１ｄにネジ１０１の軸部を貫通させると共に第１ネジ孔２１１ｄの縁部においてネジ１０１の頭部を係止させて、上部構造体１１０に固定する。その後、第１貫通孔２１１ｂから、ネジガイドパイプ７を取り外す。これにより、ネジガイドパイプ７を用いて、上枠２１を建物の上部構造体１１０に取り付けることができる。従来、上枠を中空部においてネジで固定する場合に、中空部の大きさに合わせてネジの長さを長く形成していた。そのため、ネジが必要以上に長くなり、現場での作業性が悪かった。これに対して、本発明では、短いネジを用いても、ネジガイドパイプ７を用いて、上枠２１の中空部２１１においてネジ１０１で容易に固定することができる。
【００６８】
また、第２実施形態の上枠２１Ａをネジ１０１により建物の上部構造体１１０に固定する場合には、図９（ａ）に示すように、ネジガイドパイプ７を第２貫通孔２１６ｂの挿入することで、図９（ｂ）に示すように、ネジガイドパイプ７の円環係止面７４１を第２貫通孔２１６ｂの周縁に係止させる。
【００６９】
そして、図９（ｂ）に示すように、ネジガイドパイプ７にネジ１０１を挿入して、第２ネジ孔２１６ｄにネジ１０１の軸部を貫通させると共に第２ネジ孔２１６ｄの縁部においてネジ１０１の頭部を係止させて、上部構造体１１０に固定する。その後、第２貫通孔２１６ｂから、ネジガイドパイプ７を取り外す。これにより、ネジガイドパイプ７を用いて、上枠２１Ａを建物の上部構造体１１０に取り付けることができる。よって、第２実施形態の上枠２１Ａにおいても、第１実施形態の上枠２１と同様に、短いネジを用いても、ネジガイドパイプ７を用いて、上枠２１Ａの上側中空部２１６においてネジ１０１で容易に固定することができる。
【００７０】
以上のネジガイドパイプ７は、後端にフランジ部７６が形成されると共に軸方向の途中にフランジ部７６の大きさよりも径が小さい円環係止面７４１が形成されることで、径の大きさが異なる第１貫通孔２１１ｂ及び第２貫通孔２１６ｂに係止可能な２段の段差状に構成されている。また、ネジガイドパイプ７が径の大きさが異なる第１貫通孔２１１ｂ及び第２貫通孔２１６ｂに係止された状態において、係止された第１貫通孔２１１ｂ及び第２貫通孔２１６ｂから、ネジガイドパイプ７の先端までの長さは、ネジの長さに応じて適宜設定されている。これにより、共通のネジガイドパイプ７を準備するだけで、前後方向の大きさが異なる中空部を有する上枠２１，２１Ａの両方を、建物の上部構造体１１０に容易に固定することができる。
【００７１】
なお、本実施形態及び他の実施形態において、ネジガイドパイプ７を２段の段差状に形成したが、これに限定されない。ネジガイドパイプ７を３段以上の段差状に形成することで、一種のネジガイドパイプ７を用いて、前後方向（見込方向）の大きさが３種類以上の中空部を有する上枠を建物の構造体に固定することができる。
【００７２】
以上説明してきたように、本実施形態によれば、以下の効果が奏される。
本実施形態の上枠前面カバー４の取付構造においては、上枠前面カバー４の取付構造は、前面が開放して形成された上枠２１と、上枠２１の前面に配置される上枠前面カバー４と、上枠２１の側部に配置される側面板６と、上枠前面カバー４と側面板６との間に配置され、上枠前面カバー４に取り付け可能であると共に、側面板６に嵌合可能な取付部材５と、を備える。そのため、ネジを使用せずに、上枠２１の前面に上枠前面カバー４を容易に取り付けることができる。
【００７３】
また、本実施形態においては、上枠２１の側部の側方には、縦枠２３の上端部が配置され、側面板６は、縦枠２３に設けられる。これにより、上枠前面カバー４を側面板６に取付部材５を介して取り付けることで、縦枠２３に上枠前面カバー４を容易に取り付けることができる。
【００７４】
また、本実施形態においては、取付部材５は、凸形状の嵌合突出部５４を有し、側面板６は、嵌合突出部５４に嵌合可能な開口形状の嵌合開口部６１を有する。これにより、例えば爪形状の嵌合構造で嵌合させる構成よりも、本実施形態の嵌合構造（取付部材５の嵌合突出部５４、側面板６の嵌合開口部６１）は破損しにくい。
【００７５】
また、本実施形態においては、取付部材５は、上枠前面カバー４にスライド移動可能に取り付けられると共にスライド移動することで側面板６に嵌合する。そのため、取付部材５をスライド移動させるだけで、取付部材５を側面板６に容易に嵌合させることができる。よって、上枠２１の前面に上枠前面カバー４を取り付ける際の作業性が良好である。
【００７６】
また、本実施形態においては、取付部材５は、スライド方向の両端部に対称形状で形成され側面板６に嵌合可能な一対の嵌合突出部５４を有する。これにより、取付部材５は、上枠前面カバー４の左右方向のいずれの端部においても使用することができ、上枠前面カバー４の左右のいずれにも使用できる共通部品とすることができる。よって、取付部材５を複数種類準備しなくてよいため、製造コストを低減できる。
【００７７】
また、本実施形態においては、上枠前面カバー４は、取付部材５をスライド移動可能にガイドする上側ガイド片４２及び下側ガイド片４３を有し、上側ガイド片４２及び下側ガイド片４３は、取付部材５が側面板６に嵌合する嵌合位置で係合する嵌合位置係合部４０１と、取付部材５が側面板６に嵌合しない非嵌合位置で係合する非嵌合位置係合部４０２と、を有する。そのため、取付部材５を側面板６に嵌合させない状態で、非嵌合位置において、取付部材５を上枠前面カバー４に仮固定することができる。よって、作業性を向上できる。
【００７８】
また、本実施形態においては、取付部材５は、上端部及び下端部に対称形状で形成され嵌合位置係合部４０１又は非嵌合位置係合部４０２に係合可能な一対の係合突起５３を有する。これにより、取付部材５を、上下において、上枠前面カバー４に確実に係合させることで、安定して固定できる。また、取付部材５の中央を中心に１８０°回転させても、対称形状の一対の係合突起５３が上下に配置されるため、上下を気にせずに作業でき、作業性を向上できる。
【００７９】
以上、本発明の好ましい実施形態について説明したが、本発明は、上述の実施形態に制限されるものではなく、適宜変更が可能である。
例えば、上記実施形態では、側面板６を上枠２１と縦枠２３との間に配置して、側面板６（側部受け部）に取付部材５を嵌合するように構成したが、これに限定されない。例えば、縦枠２３（側部受け部）に嵌合部を設けて、縦枠２３に取付部材５を直接嵌合するように構成してもよい。
【００８０】
また、上記実施形態では、取付部材５の嵌合突出部５４を凸形状に形成し、側面板６の嵌合開口部６１を開口形状に形成したが、これに限定されない。上記実施形態の取付部材５の嵌合突出部５４及び側面板６の嵌合開口部６１の凸形状及び開口形状を逆に形成してもよい。また、開口形状は、入口側が開口していればよく、例えば、開口形状には、入口側が開口している凹形状や、入口側が開口している貫通孔形状も含まれる。
【符号の説明】
【００８１】
４  上枠前面カバー
５  取付部材
６  側面板（側部受け部）
２１  上枠
２３  縦枠
４２  上側ガイド片（ガイド部）
４３  下側ガイド片（ガイド部）
５３  係合突起（取付部材側係合部）
５４  嵌合突出部（第１嵌合部）
６１  嵌合開口部（第２嵌合部）
４０１  嵌合位置係合部（カバー側係合部）
４０２  非嵌合位置係合部（カバー側係合部）
【図１】
2020190127.tif 000003
【図２】
2020190127.tif 000004
【図３Ａ】
2020190127.tif 000005
【図３Ｂ】
2020190127.tif 000006
【図４Ａ】
2020190127.tif 000007
【図４Ｂ】
2020190127.tif 000008
【図４Ｃ】
2020190127.tif 000009
【図５Ａ】
2020190127.tif 000010
【図５Ｂ】
2020190127.tif 000011
【図６Ａ】
2020190127.tif 000012
【図６Ｂ】
2020190127.tif 000013
【図６Ｃ】
2020190127.tif 000014
【図７】
2020190127.tif 000015
【図８】
2020190127.tif 000016
【図９】
2020190127.tif 000017
【図１０】
2020190127.tif 000018
【図１１】
2020190127.tif 000019